(57)【特許請求の範囲】
【請求項１】
それぞれが有する内部導体同士及び外部導体同士を導通させて互いに結合する一方のコネクタと他方のコネクタとを備え、前記一方のコネクタは、一方の係止部があるロック片部からなる一方のロック部材を有しており、前記他方のコネクタは、その外周部に他方の係止部を形成した他方のロック部材を有しており、前記一方及び他方のコネクタの結合時に、前記一方及び他方の係止部を互いに係脱可能に係合させて前記一方及び他方のロック部材を互いに結合するようにした同軸コネクタにおいて、
前記一方のコネクタには、その絶縁ハウジングに内部ハウジングとこの内部ハウジングを囲むようにした相手コネクタ嵌合凹部とが設けてあり、前記内部ハウジングの中心側に一方のコネクタ側内部導体を装着すると共に、前記内部ハウジングの外周側に一方のコネクタ側外部導体を装着してこの一方のコネクタ側外部導体を前記相手コネクタ嵌合凹部内に位置させ、前記相手コネクタ嵌合凹部に、前記ロック片部を突出させるようにして前記一方のロック部材を装着し、前記一方のコネクタ側外部導体の先端部と前記相手コネクタ嵌合凹部の先端部の内周面とで相手コネクタ用ガイド部を形成して構成してあり、
前記他方のコネクタには、その絶縁ハウジングに、前記一方のコネクタ側内部導体に接触する他方のコネクタ側内部導体と、前記一方のコネクタ側外部導体に接触する他方のコネクタ側外部導体と、前記相手コネクタ嵌合凹部に嵌合して前記一方のロック部材に結合する前記他方のロック部材とが設けてあり、前記他方のロック部材の内方に前記他方のコネクタ側外部導体を位置させて構成してあり、
更に、前記ロック部材が逆Ｕ字状の部材本体を有しており、該部材本体の両側部位には、片状部及び係止部を有するロック片部と圧入部及び基板係止部を有する固定部とが形成されると共に、
前記絶縁ハウジングには、その背面部から正面部に向かう溝部及び圧入用凹部が形成されており、
前記ロック片部を前記絶縁ハウジングの溝部に挿入し、前記ロック片部の係止部を前記相手コネクタ嵌合部内に突出させて構成したことを特徴とする同軸コネクタ。
【請求項２】
前記一方のコネクタ側内部導体が、接点部を有する切換端子と、前記接点部が接する接続端子とで構成してあり、
前記一方及び他方のコネクタの結合時に、前記切換端子の接続が、前記接続端子から前記他方のコネクタ側内部導体に切り替わり、前記結合の解除時に、再び前記接続端子に切り替わるスイッチを有することを特徴とする請求項１に記載の同軸コネクタ。
【発明の詳細な説明】
【０００１】
【発明の属する技術分野】
本発明は、情報端末機器または携帯電話機等に情報端末機器に搭載されて、その入出力部等に用いられるスイッチ付の同軸コネクタに関するものである。
【０００２】
【従来の技術】
従来のスイッチ付の同軸コネクタとして、特開平１１−１５４５６９号公報に開示された技術がある。この同軸コネクタのレセプタクル７０は、図１１に示すように絶縁ハウジング７１を有しており、この絶縁ハウジング７１には嵌合凸部７２が形成してある。そして、この嵌合凸部７２の中心部にはターミナル装着孔部７３が設けてあり、このターミナル装着孔部７３には、接続端子７４と、接触部７５ａを有する切換端子７５とが装着してあり、接続端子７４のブレーク接点部７４ａが切換端子７５に接触している。また、絶縁ハウジング７１には外部導体（シェル）７６が装着してあり、この外部導体７６のアース接触部７７が嵌合凸部７２を覆っている。
【０００３】
このように構成されたレセプタクル７０はプリント基板（図示せず）に実装されていて、接続端子７４と切換端子７５と外部導体７６とは、それぞれのリード部７４ｂ、７５ｂ、７６ｂでプリント基板の導電パターン（図示せず）にハンダ付けされている。
【０００４】
また、同軸コネクタのレセプタクル７０に接続されるプラグ８０は、絶縁ハウジング８１を有しており、この絶縁ハウジング８１の中心部には、コンタクト部８３ａを有する内部導体８３が設けてあり、また、絶縁ハウジング８１には内部導体８３を囲むようにして外部導体８４の筒状アース接触部８４ａが設けてあって、この筒状アース接触部８４ａの内部が嵌合凹部８２になされている。
【０００５】
そして、プラグ８０の嵌合凹部８２にレセプタクル７０の嵌合凸部７２が挿入されるようにしてプラグ８０を差し込むと、内部導体８３のコンタクト部８３ａが切換端子７５の接触部７５ａに接触し、プラグ８０の内部導体８３と切換端子７５とが導通する。このとき、プラグ８０の外部導体８４の筒状アース接触部８４ａは、外部導体７６のアース接触部７７に接触して互いに導通する。そして、プラグ８０の筒状アース接触部８４ａがレセプタクル７０のアース接触部７７に嵌合し接触することでレセプタクル７０に対するプラグ８０の接続が行われる。
【０００６】
一方、切換端子７５は、内部導体８３のコンタクト部８３ａが切換端子７５の接触部７５ａに接触することによって撓み、接続端子７４のブレーク接点部７４ａとの接触が絶たれる。
【０００７】
また、プラグ８０を抜き去ると、切換端子７５は、自らの弾性によって自由状態に復帰し、再びブレーク接点部７４ａに弾性接触する。
【０００８】
したがって、この同軸コネクタによれば、プラグ８０の挿入によって、切換端子７５の接続は接続端子７４からプラグ８０に切り替わり、プラグ８０を抜き去ることによって、再び接続端子７４に切り替わる。
【０００９】
また、従来の同軸コネクタとしては特開平１１−３０７１５８号公報に開示された技術がある。この同軸コネクタのレセプタクル９０は、図１２に示すように絶縁ハウジング９１を有しており、この絶縁ハウジング９１の中心部には内部導体９２が装着してあり、また、絶縁ハウジング９１には、内部導体９２を囲むようにして外部導体９３のアース接触部９３ａが設けてあって、この外部導体９３の内部が嵌合凹部９４になされている。
【００１０】
このように構成されたレセプタクル９０はプリント基板（図示せず）に実装されていて、内部導体９２と外部導体９３とは、それぞれのリード部９２ｂ、９３ｂでプリント基板の導電パターン（図示せず）にハンダ付けされている。
【００１１】
また、同軸コネクタのレセプタクル９０に接続されるプラグ９５は絶縁ハウジング９６を有しており、この絶縁ハウジング９６には嵌合凸部９７が形成してある。そして、この嵌合凸部９７の中心部には内部導体９８が装着してあり、また、絶縁ハウジング９６には外部導体９９が装着してあり、この外部導体９９は複数の接触片９９ａを有している。
【００１２】
そして、プラグ９５の嵌合凸部９７がレセプタクル９０の嵌合凹部９４に挿入されるようにしてプラグ９５を差し込むと、内部導体９８が内部導体９２に接触導通する。このとき、プラグ９５の外部導体９９の複数の接触片９９ａは、外部導体９３のアース接触部９３ａに接触して互いに導通し、レセプタクル９０に対するプラグ９５のロックが行われる。
【００１３】
【発明が解決しようとする課題】
上記した前者の従来の同軸コネクタにあっては、プラグ８０の外部導体８４の筒状アース接触部８４ａがレセプタクル７０の外部導体７６のアース接触部７７に嵌合し接触することで、レセプタクル７０に対するプラグ８０の接続が行われるのであるが、筒状アース接触部８４ａの板厚は薄く、この筒状アース接触部８４ａは強度的に弱いために、ロック力が弱く、プラグ８０に外部からの力がよく加わる所ではプラグ８０がレセプタクル７０から抜けるという問題点があったし、また、ロックの際のクリック感がなく、ロックされたことが感触として判らないという問題点があった。
【００１４】
また、プラグ８０とレセプタクル７０との結合時、プラグ８０の外部導体８４とレセプタクル７０の外部導体７６が直接接触しながらプラグ８０をレセプタクル７０側に誘い込むために、外部導体８４、７６に無理な力が加わり、外部導体８４、７６同士が破損するという問題点があった。
【００１５】
また、上記した後者の従来の同軸コネクタにあっては、プラグ９５の外部導体９９の複数の接触片９９ａがレセプタクル９０の外部導体９３のアース接触部９３ａに嵌合し接触することで、レセプタクル９０に対するプラグ９５のロックが行われるのであるが、接触片９９ａの板厚は薄く、この接触片９９ａは強度的に弱いために、ロック力が弱く、プラグ９５に外部からの力がよく加わる所ではプラグ９５がレセプタクル９０から抜けるという問題点があったし、また、ロックの際のクリック感が少なく、ロックされたことが感触として判らないという問題点があった。
【００１６】
また、プラグ９５とレセプタクル９０との結合時、プラグ９５の外部導体９９とレセプタクル９０の外部導体９３が直接接触しながらプラグ９５をレセプタクル９０側に誘い込むために、コジリや無理な挿抜により外部導体９９、９３に無理な力が加わり、外部導体９９、９３同士が破損するという問題点があった。
【００１７】
本発明は上記の問題点に着目して成されたものであり、その目的とするところは、一方及び他方のコネクタ（レセプタクルとプラグ）の結合（ロック）が確実に行われ、他方のコネクタ（プラグ）に外部からの力がよく加わる所でも他方のコネクタ（プラグ）が一方のコネクタ（レセプタクル）から抜けるということがなくなるし、クリック感が生じるようになってロックされたことが感触として判るようになるばかりか、互いに接触する外部導体同士の破損を防止することができる同軸コネクタを提供することである。
【００１８】
【課題を解決するための手段】
上記の目的を達成するために、本発明に係る同軸コネクタは、それぞれが有する内部導体同士及び外部導体同士を導通させて互いに結合する一方のコネクタと他方のコネクタとを備え、前記一方のコネクタは、一方の係止部があるロック片部からなる一方のロック部材を有しており、前記他方のコネクタは、その外周部に他方の係止部を形成した他方のロック部材を有しており、前記一方及び他方のコネクタの結合時に、前記一方及び他方の係止部を互いに係脱可能に係合させて前記一方及び他方のロック部材を互いに結合するようにした同軸コネクタにおいて、前記一方のコネクタには、その絶縁ハウジングに内部ハウジングとこの内部ハウジングを囲むようにした相手コネクタ嵌合凹部とが設けてあり、前記内部ハウジングの中心側に一方のコネクタ側内部導体を装着すると共に、前記内部ハウジングの外周側に一方のコネクタ側外部導体を装着してこの一方のコネクタ側外部導体を前記相手コネクタ嵌合凹部内に位置させ、前記相手コネクタ嵌合凹部に、前記ロック片部を突出させるようにして前記一方のロック部材を装着し、前記一方のコネクタ側外部導体の先端部と前記相手コネクタ嵌合凹部の先端部の内周面とで相手コネクタ用ガイド部を形成して構成してあり、前記他方のコネクタには、その絶縁ハウジングに、前記一方のコネクタ側内部導体に接触する他方のコネクタ側内部導体と、前記一方のコネクタ側外部導体に接触する他方のコネクタ側外部導体と、前記相手コネクタ嵌合凹部に嵌合して前記一方のロック部材に結合する前記他方のロック部材とが設けてあり、前記他方のロック部材の内方に前記他方のコネクタ側外部導体を位置させて構成してあり、更に、前記ロック部材が逆Ｕ字状の部材本体を有しており、該部材本体の両側部位には、片状部及び係止部を有するロック片部と圧入部及び基板係止部を有する固定部とが形成されると共に、前記絶縁ハウジングには、その背面部から正面部に向かう溝部及び圧入用凹部が形成されており、前記ロック片部を前記絶縁ハウジングの溝部に挿入し、前記ロック片部の係止部を前記相手コネクタ嵌合部内に突出させて構成したものである。
【００１９】
かかる構成により、一方及び他方のコネクタの結合時に、外部導体同士のみならず、ロック片部の係止部を他方のロック部材の係止部に係脱可能に係合させて一方及び他方のロック部材が互いに結合するようになるために、一方及び他方のコネクタの結合（ロック）が確実に行われ、他方のコネクタに外部からの力がよく加わる所でも他方のコネクタが一方のコネクタから抜けるということがなくなる。
【００２０】
また、ロック片部の係止部が他方のロック部材の係止部に係止される際にクリック感が生じるようになって、ロックされたことが感触として判るようになる。
【００２１】
しかも、一方のロック部材に他方のロック部材が接触して他方のコネクタ側外部導体と一方のコネクタ側外部導体が接触するために、一方及び他方のコネクタ側外部導体に無理な力が加わることがなく、これらの外部導体同士が破損することが防止できる。
【００２２】
ここで、一方のコネクタとは、例えばレセプタクルであり、他方のコネクタとは、例えばプラグである。
【００２６】
かかる構成により、他方のコネクタの他方のロック部材を一方のコネクタの相手コネクタ用ガイド部を介して相手コネクタ嵌合凹部に挿入して、この他方のロック部材の外周部に、一方のロック部材のロック片部のロック部を接すると共に、他方のコネクタ側外部導体を一方のコネクタ側外部導体に接し、他方のコネクタを推し進めることで、他方のコネクタ側内部導体を一方のコネクタ側内部導体に接触させ、さらに、他方のコネクタを推し進めることで、一方のコネクタのロック片部の係止部を他方のロック部材の係止部（係止凹部）に係止して一方及び他方のコネクタを結合することができる。
【００２７】
このように、他方のコネクタの他方のロック部材を一方のコネクタの相手コネクタ用ガイド部を介して相手コネクタ嵌合凹部に挿入するようになるために、一方及び他方のコネクタ側外部導体に無理な力が加わることがなくこれらの外部導体同士が破損することが防止できる。
【００２８】
また、本発明に係る同軸コネクタは、上記した本発明に係る同軸コネクタにおいて、一方のコネクタ側内部導体が、接点部を有する切換端子と、接点部が接する接続端子とで構成してあり、一方及び他方のコネクタの結合時に、切換端子の接続が、接続端子から他方のコネクタの他方のコネクタ側内部導体に切り替わり、結合の解除時に、再び接続端子に切り替わるスイッチを有するものである。
【００２９】
かかる構成により、同軸コネクタが内部にスイッチを備えたものになり、この同軸コネクタを、情報端末機器または携帯電話機等に搭載されて、その入出力部等に用いることができる。
【００３０】
【発明の実施の形態】
本発明の実施の形態を図面を参照して詳述する。
【００３１】
図１は本発明に係る同軸コネクタの分解状態の斜視図、図２は同同軸コネクタにおけるレセプタクルの正面図、図３は同レセプタクルの背面図、図４は図２のＸ−Ｘ線に沿う断面図、図５は図２のＹ−Ｙ線に沿う断面図、図６は図３のＺ−Ｚ線に沿う断面図である。
【００３２】
本発明に係る同軸コネクタは一方のコネクタであるレセプタクルＡと他方のコネクタであるプラグＢとで構成してある。そして、レセプタクルＡは、図１に示すように絶縁ハウジング１と、一方のコネクタ側内部導体である内部導体２と、一方のコネクタ側外部導体である外部導体３と一方のロック部材であるロック部材４とで構成してある。
【００３３】
絶縁ハウジング１には、図４乃至図８に示すように内部ハウジング５が一体に形成され、この内部ハウジング５を囲むようにした相手コネクタ嵌合凹部６が設けてあり、内部ハウジング５の中心側には内部導体装着部７が形成してある。また、絶縁ハウジング１には、内部導体装着部７を囲むようにして外部導体装着部８が形成してあり、また、絶縁ハウジング１には外部導体装着部８の後部を囲むようにしてロック部材装着部９が形成してある。
【００３４】
ロック部材装着部９は、図５乃至図８に示すように、絶縁ハウジング１の背面部１ｂから正面部１ａ側に向かって形成してあり、このロック部材装着部９は左、右の側面部９ａ、９ｂと天井部９ｃとを備えており、左、右の側面部９ａ、９ｂには、絶縁ハウジング１の背面部１ｂから正面部１ａに向かう溝部９Ａが形成してあり、また、絶縁ハウジング１の背面部１ｂの左右には圧入用凹部９Ｂが形成してある。また、絶縁ハウジング１には、その基板側面部１０に位置させて係止突起部１１が設けてある。
【００３５】
内部導体２は、接点部２０Ａを有する切換端子２０と、接点部２０Ａが接触する接続端子２１とで構成してあり、この切換端子２０は弾性撓み変形が可能なばね性を有している。また、切換端子２０及び接続端子２１はそれぞれにリード部２０ａ、２１ａを有している。そして、切換端子２０と、これの接点部２０Ａが接触する接続端子２１とでスイッチＳを構成している。
【００３６】
外部導体３は円筒形状の接触部３Ａを有しており、また、その後端部にリード部３０ａを有している。
【００３７】
ロック部材４は、図９に示すように逆Ｕ字形状の部材本体４Ａを有しており、この部材本体４Ａの両側の部位には、それぞれにロック片部４０と固定部４１とが形成してある。これらのロック片部４０は片状部４０Ａの端部に係止部（一方の係止部）４０Ｂを形成して構成してある。ロック片部４０は、片持ち梁状であればよく、係止部４０Ｂは端部でなくてロック片部４０の中間にあってもよい。また、固定部４１は圧入部４２と係止突起部４３とを有している。また、ロック部材４は、強固なロックを得るために、固い金属材（例えば、ステンレス）からなる板材を折り曲げ成形するのが好ましい。
【００３８】
そして、絶縁ハウジング１の内部導体装着部５には切換端子２０及び接続端子２１が装着してあり、この切換端子２０及び接続端子２１のそれぞれのリード部２０ａ、２１ａがハウジング１の背面部１ｂから外に突出している。また、絶縁ハウジング１の外部導体装着部８には外部導体３が装着してあり、この外部導体３の接触部３Ａは内部ハウジング５を覆っており、また、外部導体３のリード部３０ａが絶縁ハウジング１の背面部１ｂから外に突出している。
【００３９】
また、図５に示すように外部導体３の先端部３ａは内側に湾曲していて、外部導体装着部８の先端部に沿わせてあり、この外部導体３の先端部３ａと相手コネクタ嵌合凹部６の先端部の内周面６ａとで相手コネクタ用ガイド部４４が形成してある。
【００４０】
また、絶縁ハウジング１のロック部材装着部９にはロック部材４が装着してある。この場合、一対のロック片部４０は溝部９Ａに挿入してあって、これらのロック片部４０の係止部４０Ｂは相手コネクタ嵌合凹部６内に突出していて、外部導体３の接触部３Ａの周面部に対向している。また、ロック部材４の固定部４１の圧入部４２は圧入用凹部９Ｂに圧入されており、固定部４１の基板係止部である係止突起部４３はハウジング１の基板側面部１０より外方に突出している。
【００４１】
上記のように構成されたレセプタクルＡは、図１に示すようにプリント基板６５に実装されている。すなわち、レセプタクルＡは、その基板側面部１０に設けた係止突起部１１をプリント基板６５の係止孔部（図示せず）に挿入係止すると共に、係止突起部４３をプリント基板７０の係止孔部（図示せず）に挿入係止してあり、切換端子２０及び接続端子２１のそれぞれのリード部２０ａ、２１ａ及び外部導体３のリード部３０ａがそれぞれプリント基板６５の導電パターン（図示せず）に半田付けされている。また、レセプタクルＡの絶縁ハウジング１の正面部１ａは、機器のパネル６６に設けた開口部６６Ａに表出している。
【００４２】
図１及び図１０に示すようにプラグＢはケース５０を有しており、このケース５０には絶縁ハウジング５１が形成してあり、この絶縁ハウジング５１には内部導体装着部５２が形成しててある。そして、ケース５０には、絶縁ハウジング５１を囲むようにして外部導体装着部５３が、また、外部導体装着部５３を囲むようにしてロック部材装着部５４がそれぞれ形成してある。
【００４３】
そして、内部導体装着部５２には他方のコネクタ側内部導体である内部導体５５が、外部導体装着部５３には他方のコネクタ側外部導体である外部導体５６が、更にはロック部材装着部５４には他方のロック部材であるロック部材５７がそれぞれ装着してある。そして、このロック部材５７内に相手コネクタ嵌合凹部５８が形成してある。
【００４４】
すなわち、ロック部材５７は導電性を有する筒状体であり、その基部が取付部５７Ａにしてあり、また、ロック部材５７の内周部にはリング状の係合凹部５７Ｂが形成してある。また、先側に位置させてリング状の凹部５７Ｄが形成してある。また、ロック部材５７の外周部には他方の係止部である係止凹部５７Ｃが形成してある。この係止凹部５７Ｃは、図１に示すようにロック部材５７の外周部に形成された環状溝部で構成されている。そして、ロック部材５７は、その取付部５７Ａをロック部材装着部５４に装着してケース５０に取り付けてある。
【００４５】
また、内部導体５５は先部がピン状のコンタクト部５５Ａを有しており、この内部導体５５は、その基部で内部導体装着部５３に装着してあり、コンタクト部５５Ａは内部導体装着部５３より外方に突出していて相手コネクタ嵌合凹部５８の中心部に位置している。
【００４６】
また、外部導体５６は円筒状の導体本体５６Ａを有しており、この導体本体５６Ａの基部には切り起こし片からなる係止部５９が設けてある。また、導体本体５６Ａには弾性腕が形成されていて、その先側には接点部６０が形成してある。外部導体５６は、安定した接続が得られるように、導電性が良く、弾性を有する金属材（例えば、リン青銅）を用いるのが好ましい。また、外部導体５６の厚みは薄くされている。また、ロック部材５７は、強固なロックを得るために、固い金属材（例えば、ステンレス）からなる棒材を切削により成形するのが好ましい。
【００４７】
そして、外部導体５６が外部導体装着部５３に装着された状態では、この外部導体５６の外周面はロック部材５７の内周面に当接しており、外部導体５６の係止部５９がロック部材５７の係止凹部５７Ｂに係止している。
【００４８】
そして、ケース５０内で内部導体５５は同軸ケーブル６２の内部導体（図示せず）に、外部導体５６は同軸ケーブル６２の外部導体（図示せず）にそれぞれ接続してある。
【００４９】
次に、上記のように構成されたレセプタクルＡとプラグＢとの結合を、図１０の（１）〜（４）を参照して説明する。
【００５０】
図１０の（１）は機器のパネル６６の開口部６６Ａに表出したレセプタクルＡにプラグＢが嵌合する前の状態である。
【００５１】
図１０の（２）に示すように、プラグＢのロック部材５７を、相手コネクタ用ガイド部４４に案内されながらレセプタクルＡの相手コネクタ嵌合凹部６に挿入して、このロック部材５７の外周部に、ロック部材４のロック片部４０Ａの係止部４０Ｂを接すると共に、プラグＢの外部導体５６の接点部６０をレセプタクルＡの外部導体３の接触部３Ａに接する。プラグＢの外部導体５６の接点部６０は、弾性的に撓んでロック部材５７に形成されたリング状の凹部５７Ｄに位置する。
【００５２】
この状態で、プラグＢを推し進めることで、図１０の（３）に示すように、プラグＢの内部導体５５のコンタクト部５５ＡをレセプタクルＡの内部導体２の切換端子２０に接触させて、内部導体５５のコンタクト部５５Ａで切換端子２０を押して、この切換端子２０を撓ませて接点部２０Ａを接続端子２１から開離させて、この切換端子２０の接点部２０Ａを接続端子２１に接触させることで閉成された回路から、プラグＢの内部導体５５を切換端子２０に接触させることで開成される回路への切替えを行う。
【００５３】
この状態で、プラグＢを推し進めることで、図１０の（４）に示すように、プラグＢのロック部材５７の係止凹部５７Ｃにロック部材４の係止部４０Ｂを係止させる。
【００５４】
上記した本発明の実施の形態によれば、レセプタクルＡとプラグＢとの結合時に、外部導体３、５６同士のみならず、ロック片部４０Ａの係止部４０Ｂを係止凹部５７Ｃに係脱可能に係合させて、両ロック部材４、５７が互いに結合するようになるために、レセプタクルＡとプラグＢの結合（ロック）が確実に行われ、プラグＢに外部からの力がよく加わる所でも、また、プラグＢがレセプタクルＡに対して回転しても容易にプラグＢがレセプタクルＡから抜けるということがなくなる。
【００５５】
また、レセプタクルＡ側のロック部材４のロック片部４０Ａの係止部４０ＢがプラグＢ側のロック部材５７の係止凹部５７Ｃに係止される際にクリック感が生じるようになって、ロックされたことが感触として判るようになる。
【００５６】
また、上記した本発明の実施の形態によれば、プラグＢのロック部材５７をレセプタクルＡの相手コネクタ用ガイド部４４を介して相手コネクタ嵌合凹部６に挿入するようになるために、外部導体３、５６に無理な力が加わることがなくこれらの外部導体３、５６同士が破損することが防止できる。
【００５７】
また、上記した本発明の実施の形態によれば、レセプタクルＡ側の内部導体２が、接点部２０Ａを有する切換端子２０と、これの接点部２０Ａが接触する接続端子２１とで構成してあり、レセプタクルＡとプラグＢとの結合時に、切換端子２０の接続が、接続端子２１からプラグＢ側の内部導体５５に切り替わり、結合の解除時に、再び接続端子２１に切り替わるスイッチＳを有するために、同軸コネクタが内部にスイッチＳを備えたものになり、この同軸コネクタを、情報端末機器または携帯電話機等に搭載されて、その入出力部等に用いることができる。
【００５８】
また、上記した本発明の実施の形態によれば、係止凹部５７Ｃが、プラグＢのロック部材５７の外周部に形成された環状溝部で構成されているために、レセプタクルＡのロック部材４の係止部４０Ｂが係止凹部５７Ｃに係止されたロック状態で、プラグＢがレセプタクルＡを中心として回転が可能になる。このために、プラグＢに外部からの力がよく加わる所でもプラグＢが抜けるということがなくなる。
【００５９】
【発明の効果】
以上説明したように、本発明に係る同軸コネクタによれば、一方及び他方のコネクタの結合時に、外部導体同士のみならず、ロック片部の係止部を他方のロック部材の係止部に係脱可能に係合させて一方及び他方のロック部材が互いに結合するようになるために、一方及び他方のコネクタの結合（ロック）が確実に行われ、他方のコネクタに外部からの力がよく加わる所でも他方のコネクタが一方のコネクタから抜けるということがなくなる。
【００６０】
また、弾性ロック片部の係止部が他方のロック部材の係止凹部に係止される際にクリック感が生じるようになって、ロックされたことが感触として判るようになる。
【００６１】
しかも、一方のロック部材に他方のロック部材が接触して他方のコネクタ側外部導体と一方のコネクタ側外部導体が接触するために、一方及び他方のコネクタ側外部導体に無理な力が加わることがなく、これらの外部導体同士が破損するとことが防止できる。
【００６３】
また、本発明に係る同軸コネクタによれば、他方のコネクタの他方のロック部材を一方のコネクタの相手コネクタ用ガイド部を介して相手コネクタ嵌合凹部に挿入して、この他方のロック部材の外周部に、一方のロック部材のロック片部のロック部を接すると共に、他方のコネクタ側外部導体を一方のコネクタ側外部導体に接し、他方のコネクタを推し進めることで、他方のコネクタ側内部導体を一方のコネクタ側内部導体に接触させ、さらに、他方のコネクタを推し進めることで、一方のコネクタのロック片部の係止部を他方のロック部材の係止部（係止凹部）に係止して一方及び他方のコネクタを結合することができる。
【００６４】
このように、相手コネクタ嵌合部を一方のコネクタの相手コネクタ用ガイド部を介して相手コネクタ嵌合凹部に挿入するようになるために、一方及び他方のコネクタ側外部導体に無理な力が加わることがなくこれらの外部導体同士が破損するという問題点が解決できる。
【００６５】
また、本発明に係る同軸コネクタによれば、一方のコネクタ側内部導体が、接点部を有する切換端子と、接点部が接する接続端子とで構成してあり、一方及び他方のコネクタの結合時に、切換端子の接続が、接続端子から他方のコネクタの他方のコネクタ側内部導体に切り替わり、結合の解除時に、再び接続端子に切り替わるスイッチを有するために、同軸コネクタが内部にスイッチを備えたものになり、この同軸コネクタを、情報端末機器または携帯電話機等に搭載されて、その入出力部等に用いることができる。
【図面の簡単な説明】
【図１】本発明に係る同軸コネクタの分解状態の斜視図である。
【図２】同同軸コネクタにおけるレセプタクルの正面図である
【図３】同レセプタクルの背面図である。
【図４】図２のＸ−Ｘ線に沿う断面図である。
【図５】図２のＹ−Ｙ線に沿う断面図である。
【図６】図３のＺ−Ｚ線に沿う断面図である。
【図７】レセプタクルの絶縁ハウジングの正面側から見た斜視図である。
【図８】同絶縁ハウジングの背面側から見た斜視図である。
【図９】レセプタクルのロック部材の斜視図である。
【図１０】（１）〜（４）はレセプタクルとプラグとの結合動作の説明図である。
【図１１】従来の同軸コネクタにおける結合前の状態での縦断面図である。
【図１２】従来の他の同軸コネクタにおける結合前の状態での縦断面図である。
【符号の説明】
Ａ      レセプタクル（一方のコネクタ）
Ｂ      プラグ（他方のコネクタ）
Ｓ      スイッチ
１      絶縁ハウジング
２      内部導体（一方のコネクタ側内部導体）
３      外部導体（一方のコネクタ側外部導体）
４      ロック部材（一方のロック部材）
５      内部ハウジング
６      相手コネクタ嵌合凹部
７      内部導体装着部
８      外部導体装着部
９      ロック部材装着部
２０    切換端子
２０Ａ  接点部
２１    接続端子
４０    ロック片部
４０Ｂ  係止部（一方の係止部）
４４    相手コネクタ用ガイド部
５０    ケース
５１    絶縁ハウジング
５２    内部導体装着部
５３    外部導体装着部
５４    ロック部材装着部
５５    内部導体（他方のコネクタ側内部導体）
５６    外部導体（他方のコネクタ側外部導体）
５７    ロック部材（他方のロック部材）
５７Ｃ  係止凹部（他方の係止部）
５８    相手コネクタ嵌合凹部
【図１】
0003801480.tif 000002
【図２】
0003801480.tif 000003
【図３】
0003801480.tif 000004
【図４】
0003801480.tif 000005
【図５】
0003801480.tif 000006
【図６】
0003801480.tif 000007
【図７】
0003801480.tif 000008
【図８】
0003801480.tif 000009
【図９】
0003801480.tif 000010
【図１０】
0003801480.tif 000011
【図１１】
0003801480.tif 000012
【図１２】
0003801480.tif 000013